【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、前記方法は、
１つまたは複数のクリーンランダムアクセス（ＣＲＡ）ピクチャまたは１つまたは複数のブロークンリンクアクセス（ＢＬＡ）ピクチャを含む複数のピクチャを表すビットストリームを受信することと、
外部デバイスから、変数ＵｓｅＡｌｔＣｐｂＰａｒａｍｓＦｌａｇの値を指定するメッセージを受信することと、前記変数ＵｓｅＡｌｔＣｐｂＰａｒａｍｓＦｌａｇは、前記１つまたは複数のＣＲＡピクチャまたは前記１つまたは複数のＢＬＡピクチャのうちの少なくとも１つのためのコード化ピクチャバッファ（ＣＰＢ）パラメータの代替セットを使用すべきかどうかを示す、
前記受信されたメッセージによって指定された前記値に基づいて、前記変数ＵｓｅＡｌｔＣｐｂＰａｒａｍｓＦｌａｇの前記値を設定することと、
前記変数ＵｓｅＡｌｔＣｐｂＰａｒａｍｓＦｌａｇの前記値に基づいて、前記１つまたは複数のＣＲＡピクチャまたは前記１つまたは複数のＢＬＡピクチャのうちの前記少なくとも１つのための、ＣＰＢパラメータのデフォルトセットまたはＣＰＢパラメータの前記代替セットのうちの１つを選択することと、
を備える方法。
【請求項２】
前記１つまたは複数のＣＲＡピクチャまたは前記１つまたは複数のＢＬＡピクチャのうちの前記少なくとも１つと、関連する仮想リファレンスデコーダ（ＨＲＤ）パラメータとを使用してＨＲＤを初期化することをさらに備え、ここで、前記ＨＲＤパラメータは、ＣＰＢパラメータの前記選択されたセットを含む、請求項１に記載の方法。
【請求項３】
前記１つまたは複数のＣＲＡピクチャまたは前記１つまたは複数のＢＬＡピクチャのうちの前記少なくとも１つは、関連する非復号可能リーディングピクチャまたは関連する復号可能リーディングピクチャのうちの少なくとも１つを有し得るＣＲＡピクチャまたはＢＬＡピクチャのうちの１つを示すネットワークアブストラクションレイヤ（ＮＡＬ）ユニットタイプに関連し、前記変数ＵｓｅＡｌｔＣｐｂＰａｒａｍｓＦｌａｇの前記値は、ＣＰＢパラメータの前記代替セットの使用を示さず、
ＣＰＢパラメータの前記デフォルトセットまたはＣＰＢパラメータの前記代替セットのうちの１つを選択することは、ＣＰＢパラメータの前記デフォルトセットを選択することを備える、
請求項１に記載の方法。
【請求項４】
前記１つまたは複数のＣＲＡピクチャまたは前記１つまたは複数のＢＬＡピクチャのうちの前記少なくとも１つは、関連する非復号可能リーディングピクチャまたは関連する復号可能リーディングピクチャのうちの少なくとも１つを有し得るＣＲＡピクチャまたはＢＬＡピクチャのうちの１つを示すネットワークアブストラクションレイヤ（ＮＡＬ）ユニットタイプに関連し、前記変数ＵｓｅＡｌｔＣｐｂＰａｒａｍｓＦｌａｇの前記値は、ＣＰＢパラメータの前記代替セットの使用を示し、
ＣＰＢパラメータの前記デフォルトセットまたはＣＰＢパラメータの前記代替セットのうちの１つを選択することは、ＣＰＢパラメータの前記代替セットを選択することを備える、
請求項１に記載の方法。
【請求項５】
前記１つまたは複数のＣＲＡピクチャまたは前記１つまたは複数のＢＬＡピクチャのうちの前記少なくとも１つのためのネットワークアブストラクションレイヤ（ＮＡＬ）ユニットタイプを設定することをさらに備え、
ＣＰＢパラメータのデフォルトセットまたはＣＰＢパラメータの前記代替セットのうちの１つを選択することは、前記ＮＡＬユニットタイプと前記変数ＵｓｅＡｌｔＣｐｂＰａｒａｍｓＦｌａｇの前記値とに基づいて、前記１つまたは複数のＣＲＡピクチャまたは前記１つまたは複数のＢＬＡピクチャのうちの前記少なくとも１つのためのＣＰＢパラメータのデフォルトセットまたはＣＰＢパラメータの前記代替セットのうちの前記１つを選択することを備える、
請求項１に記載の方法。
【請求項６】
前記１つまたは複数のＣＲＡピクチャまたは前記１つまたは複数のＢＬＡピクチャのうちの前記少なくとも１つは、ＢＬＡピクチャとして取り扱われるＣＲＡピクチャを備え、
前記ＮＡＬユニットタイプを設定することは、前記変数ＵｓｅＡｌｔＣｐｂＰａｒａｍｓＦｌａｇの前記値に基づいて、前記ＢＬＡピクチャとして取り扱われる前記ＣＲＡピクチャのための前記ＮＡＬユニットタイプを設定することを備える、請求項５に記載の方法。
【請求項７】
前記ＢＬＡピクチャとして取り扱われる前記ＣＲＡピクチャのための前記ＮＡＬユニットタイプを設定することは、
ＣＰＢパラメータの前記代替セットの使用を示す前記変数ＵｓｅＡｌｔＣｐｂＰａｒａｍｓＦｌａｇの前記値に基づいて、関連する復号可能リーディングピクチャをもつＢＬＡピクチャを示すように前記ＢＬＡピクチャとして取り扱われる前記ＣＲＡピクチャのための前記ＮＡＬユニットタイプを設定することと、
ＣＰＢパラメータの前記代替セットの使用を示さない前記変数ＵｓｅＡｌｔＣｐｂＰａｒａｍｓＦｌａｇの前記値に基づいて、関連する非復号可能リーディングピクチャをもつＢＬＡピクチャを示すように前記ＢＬＡピクチャとして取り扱われる前記ＣＲＡピクチャのための前記ＮＡＬユニットタイプを設定することと、
を備える、請求項６に記載の方法。
【請求項８】
前記１つまたは複数のＣＲＡピクチャまたは前記１つまたは複数のＢＬＡピクチャのうちの前記少なくとも１つは、ＣＲＡピクチャを備え、
前記ＮＡＬユニットタイプを設定することは、一般ＣＲＡピクチャを示すように前記ＣＲＡピクチャのための前記ＮＡＬユニットタイプを設定することを備える、
請求項５に記載の方法。
【請求項９】
前記１つまたは複数のＣＲＡピクチャまたは前記１つまたは複数のＢＬＡピクチャのうちの前記少なくとも１つは、ＣＲＡピクチャを備え、前記ＮＡＬユニットタイプを設定することは、関連する非復号可能リーディングピクチャをもつＣＲＡピクチャ、関連する復号可能リーディングピクチャをもつＣＲＡピクチャ、またはリーディングピクチャをもたないＣＲＡピクチャのうちの１つを示すように、前記ＣＲＡピクチャのための前記ＮＡＬユニットタイプを設定することを備える、請求項５に記載の方法。
【請求項１０】
前記１つまたは複数のＣＲＡピクチャまたは前記１つまたは複数のＢＬＡピクチャのうちの前記少なくとも１つは、オリジナルのビットストリーム中で、関連する非復号可能リーディングピクチャを有し、前記関連する非復号可能リーディングピクチャは、前記外部デバイスによって廃棄されており、
前記変数ＵｓｅＡｌｔＣｐｂＰａｒａｍｓＦｌａｇの前記値は、前記１つまたは複数のＣＲＡピクチャまたは前記１つまたは複数のＢＬＡピクチャのうちの前記少なくとも１つのためのＣＰＢパラメータの前記代替セットの使用を示す、
請求項１に記載の方法。
【請求項１１】
前記１つまたは複数のＣＲＡピクチャまたは前記１つまたは複数のＢＬＡピクチャのうちの前記少なくとも１つは、オリジナルのビットストリーム中で関連する非復号可能リーディングピクチャを有しなかったか、あるいは前記オリジナルのビットストリーム中で関連する非復号可能リーディングピクチャを有し、前記関連する非復号可能リーディングピクチャは、前記外部デバイスによって廃棄されておらず、
前記変数ＵｓｅＡｌｔＣｐｂＰａｒａｍｓＦｌａｇの前記値は、前記１つまたは複数のＣＲＡピクチャまたは前記１つまたは複数のＢＬＡピクチャのうちの前記少なくとも１つのためのＣＰＢパラメータの前記代替セットの使用を示さない、
請求項１に記載の方法。
【請求項１２】
前記１つまたは複数のＣＲＡピクチャまたは前記１つまたは複数のＢＬＡピクチャのうちの別の１つのためにＣＰＢパラメータの前記代替セットを使用すべきかどうかを示すメッセージを受信しないことに基づいて、前記１つまたは複数のＣＲＡピクチャまたは前記１つまたは複数のＢＬＡピクチャのうちの前記別の１つのためにＣＰＢパラメータの前記代替セットを示さないように前記変数ＵｓｅＡｌｔＣｐｂＰａｒａｍｓＦｌａｇの前記値を設定することと、
前記変数ＵｓｅＡｌｔＣｐｂＰａｒａｍｓＦｌａｇの前記値に基づいて、前記１つまたは複数のＣＲＡピクチャまたは前記１つまたは複数のＢＬＡピクチャのうちの前記別の１つのためにＣＰＢパラメータの前記デフォルトセットを選択することと、
をさらに備える、請求項１に記載の方法。
【請求項１３】
ＣＰＢパラメータの前記デフォルトセットおよびＣＰＢパラメータの前記代替セットの各々は、初期ＣＰＢ削除遅延と初期ＣＰＢ削除遅延オフセットとを含む、請求項１に記載の方法。
【請求項１４】
前記ビデオデータの復号中に前記ＣＰＢがオーバーフローしないことを保証するために、前記１つまたは複数のＣＲＡピクチャまたは前記１つまたは複数のＢＬＡピクチャのうちの前記少なくとも１つのためのＣＰＢパラメータの前記選択されたセットを、ビデオ復号デバイス中に含まれるＣＰＢに適用することをさらに備える、請求項１に記載の方法。
【請求項１５】
前記ビデオデータの符号化中に、ビデオ符号化デバイス中に含まれる第１のＣＰＢがオーバーフローしないことを保証するために、および前記ビデオ符号化デバイスによって生成された符号化ビットストリームを受信したときに、ビデオ復号デバイス中に含まれる第２のＣＰＢがオーバーフローしないことを保証するために、前記１つまたは複数のＣＲＡピクチャまたは前記１つまたは複数のＢＬＡピクチャのうちの前記少なくとも１つのためのＣＰＢパラメータの前記選択されたセットを、前記ビデオ符号化デバイス中に含まれる前記第１のＣＰＢに適用することをさらに備える、請求項１に記載の方法。
【請求項１６】
ビデオデータを処理するためのビデオ復号デバイスであって、前記デバイスは、
ビデオデータを記憶するように構成されたコード化ピクチャバッファ（ＣＰＢ）と、
１つまたは複数のクリーンランダムアクセス（ＣＲＡ）ピクチャまたは１つまたは複数のブロークンリンクアクセス（ＢＬＡ）ピクチャを含む複数のピクチャを表すビットストリームを受信することと、
外部デバイスから、変数ＵｓｅＡｌｔＣｐｂＰａｒａｍｓＦｌａｇの値を指定するメッセージを受信することと、前記変数ＵｓｅＡｌｔＣｐｂＰａｒａｍｓＦｌａｇは、前記１つまたは複数のＣＲＡピクチャまたは前記１つまたは複数のＢＬＡピクチャのうちの少なくとも１つのためのＣＰＢパラメータの代替セットを使用すべきかどうかを示す、
前記受信されたメッセージによって指定された前記値に基づいて、前記変数ＵｓｅＡｌｔＣｐｂＰａｒａｍｓＦｌａｇの前記値を設定することと、
前記変数ＵｓｅＡｌｔＣｐｂＰａｒａｍｓＦｌａｇの前記値に基づいて、前記１つまたは複数のＣＲＡピクチャまたは前記１つまたは複数のＢＬＡピクチャのうちの前記少なくとも１つのための、ＣＰＢパラメータのデフォルトセットまたはＣＰＢパラメータの前記代替セットのうちの１つを選択することと、
を行うように構成された１つまたは複数のプロセッサと、
を備える、ビデオ復号デバイス。
【請求項１７】
前記１つまたは複数のプロセッサは、前記１つまたは複数のＣＲＡピクチャまたは前記１つまたは複数のＢＬＡピクチャのうちの前記少なくとも１つと、関連する仮想リファレンスデコーダ（ＨＲＤ）パラメータとを使用してＨＲＤを初期化するようにさらに構成され、ここで、前記ＨＲＤパラメータは、前記ピクチャのためのＣＰＢパラメータの前記選択されたセットを含む、請求項１６に記載のビデオ復号デバイス。
【請求項１８】
前記１つまたは複数のＣＲＡピクチャまたは前記１つまたは複数のＢＬＡピクチャのうちの前記少なくとも１つは、関連する非復号可能リーディングピクチャまたは関連する復号可能リーディングピクチャのうちの少なくとも１つを有し得るＣＲＡピクチャまたはＢＬＡピクチャのうちの１つを示すネットワークアブストラクションレイヤ（ＮＡＬ）ユニットタイプに関連し、前記変数ＵｓｅＡｌｔＣｐｂＰａｒａｍｓＦｌａｇの前記値は、ＣＰＢパラメータの前記代替セットの使用を示さず、
前記１つまたは複数のプロセッサは、ＣＰＢパラメータの前記デフォルトセットを選択するようにさらに構成された、
請求項１６に記載のビデオ復号デバイス。
【請求項１９】
前記１つまたは複数のＣＲＡピクチャまたは前記１つまたは複数のＢＬＡピクチャのうちの前記少なくとも１つは、関連する非復号可能リーディングピクチャまたは関連する復号可能リーディングピクチャのうちの少なくとも１つを有し得るＣＲＡピクチャまたはＢＬＡピクチャのうちの１つを示すネットワークアブストラクションレイヤ（ＮＡＬ）ユニットタイプに関連し、前記変数ＵｓｅＡｌｔＣｐｂＰａｒａｍｓＦｌａｇの前記値は、ＣＰＢパラメータの前記代替セットの使用を示し、
前記１つまたは複数のプロセッサは、ＣＰＢパラメータの前記代替セットを選択するようにさらに構成された、
請求項１６に記載のビデオ復号デバイス。
【請求項２０】
前記１つまたは複数のプロセッサは、前記１つまたは複数のＣＲＡピクチャまたは前記１つまたは複数のＢＬＡピクチャのうちの前記少なくとも１つのためのネットワークアブストラクションレイヤ（ＮＡＬ）ユニットタイプを設定することと、前記ＮＡＬユニットタイプと前記変数ＵｓｅＡｌｔＣｐｂＰａｒａｍｓＦｌａｇの前記値とに基づいて、前記１つまたは複数のＣＲＡピクチャまたは前記１つまたは複数のＢＬＡピクチャのうちの前記少なくとも１つのためのＣＰＢパラメータのデフォルトセットまたはＣＰＢパラメータの前記代替セットのうちの前記１つを選択することと、を行うようにさらに構成された、請求項１６に記載のビデオ復号デバイス。
【請求項２１】
前記１つまたは複数のＣＲＡピクチャまたは前記１つまたは複数のＢＬＡピクチャのうちの前記少なくとも１つは、ＢＬＡピクチャとして取り扱われるＣＲＡピクチャを備え、
前記１つまたは複数のプロセッサは、前記変数ＵｓｅＡｌｔＣｐｂＰａｒａｍｓＦｌａｇの前記値に基づいて、前記ＢＬＡピクチャとして取り扱われる前記ＣＲＡピクチャのための前記ＮＡＬユニットタイプを設定するようにさらに構成された、
請求項２０に記載のビデオ復号デバイス。
【請求項２２】
ＣＰＢパラメータの前記代替セットの使用を示す前記変数ＵｓｅＡｌｔＣｐｂＰａｒａｍｓＦｌａｇの前記値に基づいて、前記１つまたは複数のプロセッサは、関連する復号可能リーディングピクチャをもつＢＬＡピクチャを示すように前記ＢＬＡピクチャとして取り扱われる前記ＣＲＡピクチャのための前記ＮＡＬユニットタイプを設定するようにさらに構成され、
ＣＰＢパラメータの前記代替セットの使用を示さない前記変数ＵｓｅＡｌｔＣｐｂＰａｒａｍｓＦｌａｇの前記値に基づいて、前記１つまたは複数のプロセッサは、関連する非復号可能リーディングピクチャをもつＢＬＡピクチャを示すように前記ＢＬＡピクチャとして取り扱われる前記ＣＲＡピクチャのための前記ＮＡＬユニットタイプを設定するようにさらに構成された、
請求項２１に記載のビデオ復号デバイス。
【請求項２３】
前記１つまたは複数のＣＲＡピクチャまたは前記１つまたは複数のＢＬＡピクチャのうちの前記少なくとも１つは、ＣＲＡピクチャを備え、前記１つまたは複数のプロセッサは、一般ＣＲＡピクチャを示すように前記ＣＲＡピクチャのための前記ＮＡＬユニットタイプを設定するようにさらに構成された、
請求項２０に記載のビデオ復号デバイス。
【請求項２４】
前記１つまたは複数のＣＲＡピクチャまたは前記１つまたは複数のＢＬＡピクチャのうちの前記少なくとも１つは、ＣＲＡピクチャを備え、前記１つまたは複数のプロセッサは、関連する非復号可能リーディングピクチャをもつＣＲＡピクチャ、関連する復号可能リーディングピクチャをもつＣＲＡピクチャ、またはリーディングピクチャをもたないＣＲＡピクチャのうちの１つを示すように、前記ＣＲＡピクチャのための前記ＮＡＬユニットタイプを設定するようにさらに構成された、請求項２０に記載のビデオ復号デバイス。
【請求項２５】
前記１つまたは複数のＣＲＡピクチャまたは前記１つまたは複数のＢＬＡピクチャのうちの前記少なくとも１つは、オリジナルのビットストリーム中で、関連する非復号可能リーディングピクチャを有し、前記関連する非復号可能リーディングピクチャは、前記外部デバイスによって廃棄されており、
前記変数ＵｓｅＡｌｔＣｐｂＰａｒａｍｓＦｌａｇの前記値は、前記１つまたは複数のＣＲＡピクチャまたは前記１つまたは複数のＢＬＡピクチャのうちの前記少なくとも１つのためのＣＰＢパラメータの前記代替セットの使用を示す、
請求項１６に記載のビデオ復号デバイス。
【請求項２６】
前記１つまたは複数のＣＲＡピクチャまたは前記１つまたは複数のＢＬＡピクチャのうちの前記少なくとも１つは、オリジナルのビットストリーム中で関連する非復号可能リーディングピクチャを有しなかったか、あるいは前記オリジナルのビットストリーム中で関連する非復号可能リーディングピクチャを有し、前記関連する非復号可能リーディングピクチャは、前記外部デバイスによって廃棄されておらず、
前記変数ＵｓｅＡｌｔＣｐｂＰａｒａｍｓＦｌａｇの前記値は、前記１つまたは複数のＣＲＡピクチャまたは前記１つまたは複数のＢＬＡピクチャのうちの前記少なくとも１つのためのＣＰＢパラメータの前記代替セットの使用を示さない、
請求項１６に記載のビデオ復号デバイス。
【請求項２７】
前記１つまたは複数のプロセッサは、
前記１つまたは複数のＣＲＡピクチャまたは前記１つまたは複数のＢＬＡピクチャのうちの別の１つのためにＣＰＢパラメータの前記代替セットを使用すべきかどうかを示すメッセージの受信の欠如に基づいて、前記１つまたは複数のＣＲＡピクチャまたは前記１つまたは複数のＢＬＡピクチャのうちの前記別の１つのためにＣＰＢパラメータの前記代替セットを示さないように前記変数ＵｓｅＡｌｔＣｐｂＰａｒａｍｓＦｌａｇの前記値を設定することと、
前記変数ＵｓｅＡｌｔＣｐｂＰａｒａｍｓＦｌａｇの前記値に基づいて、前記１つまたは複数のＣＲＡピクチャまたは前記１つまたは複数のＢＬＡピクチャのうちの前記別の１つのためにＣＰＢパラメータの前記デフォルトセットを選択することと、
を行うようにさらに構成された、請求項１６に記載のビデオ復号デバイス。
【請求項２８】
ＣＰＢパラメータの前記デフォルトセットおよびＣＰＢパラメータの前記代替セットの各々は、初期ＣＰＢ削除遅延と初期ＣＰＢ削除遅延オフセットとを含む、請求項１６に記載のビデオ復号デバイス。
【請求項２９】
前記１つまたは複数のプロセッサは、前記ビデオデータの復号中に前記ＣＰＢがオーバーフローしないことを保証するために、前記１つまたは複数のＣＲＡピクチャまたは前記１つまたは複数のＢＬＡピクチャのうちの前記少なくとも１つのためのＣＰＢパラメータの前記選択されたセットを、前記ビデオ復号デバイス中に含まれるＣＰＢに適用するようにさらに構成された、請求項１６に記載のビデオ復号デバイス。
【請求項３０】
前記１つまたは複数のプロセッサは、前記ビデオデータの符号化中に、ビデオ符号化デバイス中に含まれる第１のＣＰＢがオーバーフローしないことを保証するために、および前記ビデオ符号化デバイスによって生成された符号化ビットストリームを受信したときに、前記ビデオ復号デバイス中に含まれる第２のＣＰＢがオーバーフローしないことを保証するために、前記１つまたは複数のＣＲＡピクチャまたは前記１つまたは複数のＢＬＡピクチャのうちの前記少なくとも１つのためのＣＰＢパラメータの前記選択されたセットを、前記ビデオ符号化デバイス中に含まれる前記第１のＣＰＢに適用するようにさらに構成された、請求項１６に記載のビデオ復号デバイス。
【請求項３１】
ビデオデータを処理するためのビデオ復号デバイスであって、前記デバイスは、
１つまたは複数のクリーンランダムアクセス（ＣＲＡ）ピクチャまたは１つまたは複数のブロークンリンクアクセス（ＢＬＡ）ピクチャを含む複数のピクチャを表すビットストリームを受信するための手段と、
外部デバイスから、変数ＵｓｅＡｌｔＣｐｂＰａｒａｍｓＦｌａｇの値を指定するメッセージを受信するための手段と、前記変数ＵｓｅＡｌｔＣｐｂＰａｒａｍｓＦｌａｇは、前記１つまたは複数のＣＲＡピクチャまたは前記１つまたは複数のＢＬＡピクチャのうちの少なくとも１つのためのコード化ピクチャバッファ（ＣＰＢ）パラメータの代替セットを使用すべきかどうかを示す、
前記受信されたメッセージによって指定された前記値に基づいて、前記変数ＵｓｅＡｌｔＣｐｂＰａｒａｍｓＦｌａｇの前記値を設定するための手段と、
前記変数ＵｓｅＡｌｔＣｐｂＰａｒａｍｓＦｌａｇの前記値に基づいて、前記１つまたは複数のＣＲＡピクチャまたは前記１つまたは複数のＢＬＡピクチャのうちの前記少なくとも１つのための、ＣＰＢパラメータのデフォルトセットまたはＣＰＢパラメータの前記代替セットのうちの１つを選択するための手段と、
を備える、ビデオ復号デバイス。
【請求項３２】
前記１つまたは複数のＣＲＡピクチャまたは前記１つまたは複数のＢＬＡピクチャのうちの前記少なくとも１つと、関連する仮想リファレンスデコーダ（ＨＲＤ）パラメータとを使用してＨＲＤを初期化するための手段をさらに備え、ここで、前記ＨＲＤパラメータは、ＣＰＢパラメータの前記選択されたセットを含む、
請求項３１に記載のビデオ復号デバイス。
【請求項３３】
前記１つまたは複数のＣＲＡピクチャまたは前記１つまたは複数のＢＬＡピクチャのうちの前記少なくとも１つは、関連する非復号可能リーディングピクチャまたは関連する復号可能リーディングピクチャのうちの少なくとも１つを有し得るＣＲＡピクチャまたはＢＬＡピクチャのうちの１つを示すネットワークアブストラクションレイヤ（ＮＡＬ）ユニットタイプに関連し、前記変数ＵｓｅＡｌｔＣｐｂＰａｒａｍｓＦｌａｇの前記値は、ＣＰＢパラメータの前記代替セットの使用を示さず、
ＣＰＢパラメータの前記デフォルトセットを選択するための手段をさらに備える、
請求項３１に記載のビデオ復号デバイス。
【請求項３４】
前記１つまたは複数のＣＲＡピクチャまたは前記１つまたは複数のＢＬＡピクチャのうちの前記少なくとも１つは、関連する非復号可能リーディングピクチャまたは関連する復号可能リーディングピクチャのうちの少なくとも１つを有し得るＣＲＡピクチャまたはＢＬＡピクチャのうちの１つを示すネットワークアブストラクションレイヤ（ＮＡＬ）ユニットタイプに関連し、前記変数ＵｓｅＡｌｔＣｐｂＰａｒａｍｓＦｌａｇの前記値は、ＣＰＢパラメータの前記代替セットの使用を示し、
ＣＰＢパラメータの前記代替セットを選択するための手段をさらに備える、
請求項３１に記載のビデオ復号デバイス。
【請求項３５】
前記１つまたは複数のＣＲＡピクチャまたは前記１つまたは複数のＢＬＡピクチャのうちの前記少なくとも１つのためにネットワークアブストラクションレイヤ（ＮＡＬ）ユニットタイプを設定するための手段と、
前記ＮＡＬユニットタイプと前記変数ＵｓｅＡｌｔＣｐｂＰａｒａｍｓＦｌａｇの前記値とに基づいて、前記１つまたは複数のＣＲＡピクチャまたは前記１つまたは複数のＢＬＡピクチャのうちの前記少なくとも１つのためのＣＰＢパラメータのデフォルトセットまたはＣＰＢパラメータの前記代替セットのうちの前記１つを選択するための手段とをさらに備える、請求項３１に記載のビデオ復号デバイス。
【請求項３６】
前記１つまたは複数のＣＲＡピクチャまたは前記１つまたは複数のＢＬＡピクチャのうちの前記少なくとも１つは、ＢＬＡピクチャとして取り扱われるＣＲＡピクチャを備え、
前記変数ＵｓｅＡｌｔＣｐｂＰａｒａｍｓＦｌａｇの前記値に基づいて、前記ＢＬＡピクチャとして取り扱われる前記ＣＲＡピクチャのための前記ＮＡＬユニットタイプを設定するための手段をさらに備える、請求項３５に記載のビデオ復号デバイス。
【請求項３７】
前記ビデオデータの復号中に前記ＣＰＢがオーバーフローしないことを保証するために、前記１つまたは複数のＣＲＡピクチャまたは前記１つまたは複数のＢＬＡピクチャのうちの前記少なくとも１つのためのＣＰＢパラメータの前記選択されたセットを、ビデオ復号デバイス中に含まれるＣＰＢに適用するための手段をさらに備える、請求項３１に記載のビデオ復号デバイス。
【請求項３８】
前記ビデオデータの符号化中に、ビデオ符号化デバイス中に含まれる第１のＣＰＢがオーバーフローしないことを保証するために、および前記ビデオ符号化デバイスによって生成された符号化ビットストリームを受信したときに、前記ビデオ復号デバイス中に含まれる第２のＣＰＢがオーバーフローしないことを保証するために、前記１つまたは複数のＣＲＡピクチャまたは前記１つまたは複数のＢＬＡピクチャのうちの前記少なくとも１つのためのＣＰＢパラメータの前記選択されたセットを、前記ビデオ符号化デバイス中に含まれる前記第１のＣＰＢに適用するための手段をさらに備える、請求項３１に記載のビデオ復号デバイス。
【請求項３９】
ビデオデータを処理するための命令を備える非一時的コンピュータ可読媒体であって、前記命令は、実行されたとき、１つまたは複数のプロセッサに、
１つまたは複数のクリーンランダムアクセス（ＣＲＡ）ピクチャまたは１つまたは複数のブロークンリンクアクセス（ＢＬＡ）ピクチャを含む複数のピクチャを表すビットストリームを受信することと、
外部デバイスから、変数ＵｓｅＡｌｔＣｐｂＰａｒａｍｓＦｌａｇの値を指定するメッセージを受信することと、前記変数ＵｓｅＡｌｔＣｐｂＰａｒａｍｓＦｌａｇは、前記１つまたは複数のＣＲＡピクチャまたは前記１つまたは複数のＢＬＡピクチャのうちの少なくとも１つのためのコード化ピクチャバッファ（ＣＰＢ）パラメータの代替セットを使用すべきかどうかを示す、
前記受信されたメッセージによって指定された前記値に基づいて、前記変数ＵｓｅＡｌｔＣｐｂＰａｒａｍｓＦｌａｇの前記値を設定することと、
前記変数ＵｓｅＡｌｔＣｐｂＰａｒａｍｓＦｌａｇの前記値に基づいて、前記１つまたは複数のＣＲＡピクチャまたは前記１つまたは複数のＢＬＡピクチャのうちの前記少なくとも１つのための、ＣＰＢパラメータのデフォルトセットまたはＣＰＢパラメータの前記代替セットのうちの１つを選択することと、
を行わせる、非一時的コンピュータ可読媒体。
【請求項４０】
前記１つまたは複数のＣＲＡピクチャまたは前記１つまたは複数のＢＬＡピクチャのうちの前記少なくとも１つは、関連する非復号可能リーディングピクチャまたは関連する復号可能リーディングピクチャのうちの少なくとも１つを有し得るＣＲＡピクチャまたはＢＬＡピクチャのうちの１つを示すネットワークアブストラクションレイヤ（ＮＡＬ）ユニットタイプに関連し、前記変数ＵｓｅＡｌｔＣｐｂＰａｒａｍｓＦｌａｇの前記値は、ＣＰＢパラメータの前記代替セットの使用を示さず、
前記命令は、前記１つまたは複数のプロセッサに、ＣＰＢパラメータの前記デフォルトセットを選択させる、
請求項３９に記載の非一時的コンピュータ可読媒体。
【請求項４１】
前記１つまたは複数のＣＲＡピクチャまたは前記１つまたは複数のＢＬＡピクチャのうちの前記少なくとも１つは、非復号可能リーディングピクチャをもつＣＲＡピクチャまたはＢＬＡピクチャのうちの１つを示すネットワークアブストラクションレイヤ（ＮＡＬ）ユニットタイプをもつＣＲＡピクチャまたはＢＬＡピクチャのうちの１つを備え、前記変数ＵｓｅＡｌｔＣｐｂＰａｒａｍｓＦｌａｇの前記値は、ＣＰＢパラメータの前記代替セットを示し、
前記命令は、前記１つまたは複数のプロセッサに、前記ピクチャのためのＣＰＢパラメータの前記代替セットを選択させる、
請求項３９に記載の非一時的コンピュータ可読媒体。
【請求項４２】
前記命令は、前記１つまたは複数のプロセッサに、
前記１つまたは複数のＣＲＡピクチャまたは前記１つまたは複数のＢＬＡピクチャのうちの前記少なくとも１つのためのネットワークアブストラクションレイヤ（ＮＡＬ）ユニットタイプを設定させ、
前記ＮＡＬユニットタイプと前記変数ＵｓｅＡｌｔＣｐｂＰａｒａｍｓＦｌａｇの前記値とに基づいて、前記１つまたは複数のＣＲＡピクチャまたは前記１つまたは複数のＢＬＡピクチャのうちの前記少なくとも１つのためのＣＰＢパラメータの前記デフォルトセットまたはＣＰＢパラメータの前記代替セットのうちの前記１つを選択させる、
請求項３９に記載の非一時的コンピュータ可読媒体。
【請求項４３】
前記１つまたは複数のＣＲＡピクチャまたは前記１つまたは複数のＢＬＡピクチャのうちの前記少なくとも１つは、ＢＬＡピクチャとして取り扱われるＣＲＡピクチャを備え、
前記命令は、前記１つまたは複数のプロセッサに、前記変数ＵｓｅＡｌｔＣｐｂＰａｒａｍｓＦｌａｇの前記値に基づいて、前記ＢＬＡピクチャとして取り扱われる前記ＣＲＡピクチャのための前記ＮＡＬユニットタイプを設定させる、
請求項４２に記載の非一時的コンピュータ可読媒体。